(57)【特許請求の範囲】
【請求項１】
管理装置により、車両通行レーンを通行する車両の搭乗者の通門を管理する通門管理システムであって、
前記車両通行レーンに設置され、車両の搭乗者が携行するＩＤタグを読み取るＩＤタグ読取装置と、
前記ＩＤタグと関連付けられた入構許可者の顔写真データを含む入構許可者データを格納する入構許可者データベースと、
前記入構許可者データベースから取得した前記入構許可者データを表示する表示手段と、
前記管理装置に対して通門管理のための指示信号を送信する機能を有する携帯型の無線指示装置とを備えてなる、通門管理システム。
【請求項２】
前記車両通行レーンに設置され、前記管理装置の制御に基づいて開閉する車両ゲートを備え、
前記無線指示装置は、前記管理装置に対して前記車両ゲートの開閉を制御するための指示信号を送信する機能を有する、請求項１に記載の通門管理システム。
【請求項３】
前記管理装置の制御に基づいて車両又はその搭乗者の顔を撮影するカメラ装置を備え、
前記無線指示装置は、前記管理装置に対して前記カメラ装置の撮影を制御するための指示信号を送信する機能を有する、請求項１又は２に記載の通門管理システム。
【請求項４】
前記管理装置の制御に基づいて警報を出力する警報装置を備え、
前記無線指示装置は、前記管理装置に対して前記警報装置を制御するための指示信号を送信する機能を有する、請求項１から３のいずれかに記載の通門管理システム。
【請求項５】
前記車両通行レーンが複数あり、前記ＩＤタグ読取装置は前記車両通行レーン毎に設置されており、
前記表示手段には、前記車両通行レーン毎の前記入構許可者データ及び当該車両通行レーンを特定するための情報を表示する画面が、前記ＩＤタグ読取装置が前記ＩＤタグを読み取った順に前面となるように重なって表示され、
前記無線指示装置が前記管理装置に対して前記指示信号を送信すると、最前面の画面が消えて次の画面が現れる、請求項１から４のいずれかに記載の通門管理システム。
【発明の詳細な説明】
【技術分野】
【０００１】
本発明は、車両の搭乗者の通門を管理する通門管理システムに関する。
【背景技術】
【０００２】
図４に従来の通門管理システムを示す。図４のシステムでは、入構許可者の顔写真データを含む入構許可者データが、システムサーバ１００の入構許可者データベース１０１に予め格納されている。入構許可者には、その入構許可者データと関連付けられたＩＤタグ１１０を携行させるようにし、車両１２０に搭乗した入構許可者（搭乗者）１３０が通用門の手前に配置されたＩＤタグ読取装置１４０にＩＤタグ１１０をかざすと、ＩＤタグ読取装置１４０によってＩＤタグ１１０の情報が読み取られる。読み取られたＩＤタグ１１０の情報は、認証機１５０を介してシステムサーバ１００に送られ、そのＩＤタグ１１０に関連付けられた顔写真データを含む入構許可者データが、守衛室Ｒ内に設置された管理装置１６０の表示部１６１に表示される。通門を監視する監視人Ｐは、表示部１６１に表示された顔写真画像等と、実際に車両１２０に搭乗している搭乗者１３０の顔とを目視で比較し、３点確認（本人確認、所属確認、目的確認）を実施し、確認の結果問題がなければ、表示部１６１に表示されている３点確認ボタン（ゲート開閉指示、３点確認行為の記録の役割）１６２を押すことで車両ゲートＧを開け、車両１２０（搭乗者１３０）の入構を許可する。
【０００３】
このように、図４の通門管理システムにおいて監視人Ｐは、通門手続きとして、表示部１６１に表示された顔写真画像等を確認し、続いて実際に車両１２０に搭乗している搭乗者１３０の顔を確認し、その後、３点確認ボタン１６２を押すために再度、表示部１６１に視線を向けて３点確認ボタン１６２を押すという作業を行う必要がある。
【０００４】
しかし、混雑時には車両１台あたり約２秒という短時間で通門手続きを行うことが求められているところ、上述のような作業を約２秒で完了させるのは困難であり、通門のために車両が滞ることがあった。
【０００５】
そこで、本発明者らは通門手続きの効率化を図るため、特許文献１において、表示部１６１に表示された顔写真画像と実際の搭乗者１３０の顔との照合を効率的に行うことができる通門管理システムを提案した。
【０００６】
一方、本発明はこの特許文献１とは異なる観点から、通門手続きの効率化を図ろうとするものである。
【先行技術文献】
【特許文献】
【０００７】
【特許文献１】特開２０１４−３８４９２号公報
【発明の概要】
【発明が解決しようとする課題】
【０００８】
本発明が解決しようとする課題は、通門手続きを効率的に実施できる通門管理システムを提供することにある。
【課題を解決するための手段】
【０００９】
本発明の一観点によれば、管理装置により、車両通行レーンを通行する車両の搭乗者の通門を管理する通門管理システムであって、前記車両通行レーンに設置され、車両の搭乗者が携行するＩＤタグを読み取るＩＤタグ読取装置と、前記ＩＤタグと関連付けられた入構許可者の顔写真データを含む入構許可者データを格納する入構許可者データベースと、前記入構許可者データベースから取得した前記入構許可者データを表示する表示手段と、前記管理装置に対して通門管理のための指示信号を送信する機能を有する携帯型の無線指示装置とを備えてなる、通門管理システムが提供される。
【００１０】
このように本発明の通門管理システムは、管理装置に対して通門管理のための指示信号を送信する機能を有する携帯型の無線指示装置を備える。したがって、通門手続きにおいて監視人は、表示手段に表示された入構許可者データと実際の搭乗者との照合を行った後、表示手段に視線を向けることなく、無線指示装置によって、通門管理のための指示信号を管理装置に送信することができる。これにより、通門手続きを効率的に実施できる。
【００１１】
本発明の通門管理システムは、管理装置の制御に基づいて開閉する車両ゲートを備えることができ、この場合、無線指示装置は、通門管理のための指示信号として、管理装置に対して車両ゲートの開閉を制御するための指示信号を送信する機能を有するものとすることができる。
【００１２】
また、本発明の通門管理システムは、管理装置の制御に基づいて車両又はその搭乗者の顔を撮影するカメラ装置や警報を出力する警報装置を備えることもできる。この場合、無線指示装置は、通門管理のための指示信号として、管理装置に対してカメラ装置の撮影を制御するための指示信号を送信する機能や警報装置を制御するための指示信号を送信する機能を有するものとすることができる。これにより、入構許可者以外の者（不審者）が入構しようとするなどの異常時に、迅速に不審者の顔を撮影したり警報を出力したりすることができる。
【００１３】
本発明の通門管理システムは、車両通行レーンが複数ある場合にも適用可能である。この場合、前記表示手段には、前記車両通行レーン毎の前記入構許可者データ及び当該車両通行レーンを特定するための情報を表示する画面が、前記ＩＤタグ読取装置が前記ＩＤタグを読み取った順に前面となるように重なって表示される。そして、前記無線指示装置が前記管理装置に対して前記指示信号を送信すると、最前面の画面が消えて次の画面が現れる。これにより、車両通行レーンが複数ある場合においても、各車両通行レーンの通門手続きを効率的に実施できる。
【発明の効果】
【００１４】
以上のとおり本発明の通門管理システムによれば、通門手続きを効率的に実施でき、通門手続きに要する時間を短縮することができる。
【図面の簡単な説明】
【００１５】
【図１】本発明の一実施例による通門管理システムの説明図である。
【図２】図１の通門管理システムにおける無線指示装置の構成例を示す。
【図３】図１の通門管理システムにおける表示部の表示例を示す。
【図４】従来の通門管理システムの説明図である。
【発明を実施するための形態】
【００１６】
以下、図面に示す実施例に基づき、本発明の実施の形態を説明する。
【００１７】
図１は、本発明の一実施例による通門管理システムの説明図である。同図に示す通門管理システムは、車両通行レーンとしての入門レーンが３レーンある場合の通門管理（入門管理）に適用したものである。なお、各入門レーンの構成は同一であり、図１では入門レーン１の構成のみを図示し、入門レーン２，３の構成は図示を省略している。
【００１８】
図１に示す通門管理システムは、管理サーバ１に内蔵された入構許可者データベース１ａと、車両２の搭乗者３が携行するＩＤタグ４を読み取るＩＤタグ読取装置５と、車両ゲートＧの開閉等を制御する管理装置６と、管理装置６に対して車両ゲートＧの開閉を制御するための指示信号等を送信する機能を有する携帯型の無線指示装置７とを備える。
【００１９】
車両ゲートＧ及びＩＤタグ読取装置５は入門レーン毎に設置されている。また、各入門レーンには、車両ゲートＧ及びＩＤタグ読取装置５のほかに、カメラ装置８ａ〜８ｃ、警報装置９、第１の車両検知手段１０ａ、及び第２の車両検知手段１０ｂがそれぞれ設置されている。
【００２０】
入構許可者データベース１は、入構許可者の顔写真データを含む入構許可者データを予め格納する。入構許可者データとしては、入構許可者の顔写真データのほか、入構許可者の氏名データ、所属データ等を含みうる。入構許可者データは、入構許可者が携行するＩＤタグ４と関連付けられている。
【００２１】
ＩＤタグ読取装置５は、ＩＤタグ４の情報を読み取るためにアンテナを備えており、ＩＤタグ読取装置５が読み取ったＩＤタグ４の情報は、認証機１１を介してシステムサーバ１に送られる。
【００２２】
管理装置６は、入構許可者データベース１ａから取得した入構許可者データを表示する表示手段としての表示部６ａを有するとともに、車両ゲートＧ、カメラ装置８ａ〜８ｃ、及び警報装置９を制御する機能を有する。本実施例において管理装置６は、管理サーバ１、車両ゲートＧ、カメラ装置８ａ〜８ｃ、及び警報装置９と通信可能なタブレット式のコンピュータ端末からなる。
【００２３】
無線指示装置７は、通門管理のための指示信号として、（ａ）管理装置６に対して車両ゲートＧの開閉を制御するための指示信号（以下「指示信号ａ」という。）を送信する機能、（ｂ）管理装置６に対してカメラ装置８ａ〜８ｃの撮影を制御するための指示信号（以下「指示信号ｂ」という。）を送信する機能、及び（ｃ）管理装置６に対して警報装置９を制御するための指示信号（以下「指示信号ｃ」という。）を送信する機能を有する。
【００２４】
図２は、無線指示装置７の構成例を示す。同図に示す無線指示装置７は、いわゆるワイヤレスマウスであり、管理装置６に対して各種指示信号を送信するために５個の指示ボタン７ａ〜７ｅを有する。具体的には、指示ボタン７ａを押すと上記指示信号ａとして、車両ゲートＧを開にするための指示信号が管理装置６に対して送信される。管理装置６はこの指示信号を受信すると、車両ゲートＧを開にする制御を行う。なお、この指示ボタン７ａは、監視人Ｐが通門手続きにおいて車両（搭乗者）の入構を許可するときに押すものである。すなわち、管理装置６は、指示ボタン７ａが押されたことによる指示信号を受信すると、車両ゲートＧを開にする制御を行うとともに、車両（搭乗者）の入構が許可されたことを認識し、これを記録する。
【００２５】
一方、指示ボタン７ｂ，７ｃは、車両（搭乗者）の入構許可と関係なく強制的に車両ゲートＧを開閉するときに使用する。すなわち、指示ボタン７ｂを押すと、車両ゲートＧを強制的に開にするための指示信号が管理装置６に対して送信され、指示ボタン７ｃを押すと、車両ゲートＧを強制的に閉にするための指示信号が管理装置６に対して送信される。管理装置６はこれらの指示信号を受信すると、車両ゲートＧを強制的に開又は閉にする制御を行う。
【００２６】
また、指示ボタン７ｄを押すと上記指示信号ｂとして、カメラ装置８ａ〜８ｃによる撮影を実行させるための指示信号が管理装置６に対して送信される。管理装置６はこの指示信号を受信すると、カメラ装置８ａ〜８ｃに撮影を実行させる制御を行う。
【００２７】
また、指示ボタン７ｅを押すと上記指示信号ｃとして、警報装置９に警報を出力させるための指示信号が管理装置６に対して送信される。管理装置６はこの指示信号を受信すると、警報装置９に警報を出力させる制御を行う。
【００２８】
なお、図２の無線指示装置７は、リング状の装着部７ｆに監視人Ｐの指を挿入することで、監視人Ｐが携帯する。
【００２９】
カメラ装置８ａ〜８ｃは、上述のとおり管理装置６の制御に基づいて撮影を実行する。このうち、カメラ装置８ａは、通門のために所定位置に停車した車両２の前部座席の搭乗者３の顔を撮影するために車両２の正面側に配置され、カメラ装置８ｂ，８ｃは、後部座席の搭乗者３の顔を撮影するために車両２の両側面側に配置されている。これらのカメラ装置８ａ〜８ｃにより撮影された搭乗者３の顔画像は、例えば管理装置６に送信され記録される。なお、別のカメラ装置を設置して、車両やそのナンバープレートを撮影することもできる。
【００３０】
警報装置９は、上述のとおり管理装置６の制御に基づいて警報を出力する。警報の方式は特に限定されず、例えば警報ランプを点灯させるようにすることができる。なお、図１の実施例では、警報装置９は各入門レーンにそれぞれ設置したが、警報装置９は１台に集約することもできるし、この場合、各入門レーンで警報の方式を変える等により、いずれの入門レーンに対応する警報であるかを識別可能にすることもできる。
【００３１】
第１の車両検知手段１０ａは車両が通門する車両ゲートＧの手前に配置され、第２の車両検知手段１０ｂは、車両ゲートＧの構内側に配置されている。これらの車両検知手段１０ａ，１０ｂは、ループコイルで構成できる。
【００３２】
次に、本実施例の通門管理システムの動作を説明する。
【００３３】
第１の車両検知手段１０ａにより車両２の到来が検知されると、ＩＤタグ４の読み取り動作が開始される。具体的には、第１の車両検知手段１０ａにより車両２の到来が検知されると、搭乗者３が携行するＩＤタグ４の情報を読み取るためにＩＤタグ読取装置５から電波が出力される。搭乗者がＩＤタグ読取装置５にＩＤタグ４をかざすと、ＩＤタグ読取装置５から出力された電波に応答してＩＤタグ４から電波が出力され、その電波がＩＤタグ読取装置５で受信され、ＩＤタグ４の情報が読み取られる。読み取られたＩＤタグ４の情報は、認証機１１を介してシステムサーバ１に送られる。ここで、認証機１１は、そのＩＤタグ４の情報を予め記憶している認証情報と照合することでＩＤタグ４の認証を行い、認証された場合、そのＩＤタグ４の情報をシステムサーバ１に送る。認証されなかった場合、その旨の異常情報を管理装置６に送る。
【００３４】
次いで、読み取られたＩＤタグ４の情報に基づいて、そのＩＤタグ４と関連付けられている顔写真データ等の入構許可者データが入構許可者データベース１ａより取得され、その入構許可者データが管理装置６の表示部６ａに表示される。
【００３５】
これらの処理が、各入門レーンにおいて同時並行で行われる。このとき表示部６ａには、入門レーン毎の入構許可者データ及び当該入門レーンを特定するための情報を表示する画面が、各入門レーンのＩＤタグ読取装置６がＩＤタグ４を読み取った順に前面となるように重なって表示される。
【００３６】
図３は、表示部６ａの表示例を示す。同図は、入門レーン１、入門レーン３、入門レーン２の順に、各入門レーンのＩＤタグ読取装置６がＩＤタグ４を読み取った場合の例で、前面から、入門レーン１に関する画面、入門レーン３に関する画面、入門レーン２に関する画面の順に重なって表示されている。
【００３７】
各入門レーンに関する画面の構成は同じであるので、図３に表れている入門レーン１に関する画面を例に説明すると、当該画面には、入構許可者データベース１ａより取得された入構許可者データとして、各ＩＤタグ４に対応する顔写真画像、氏名及び所属が表示される。また、当該画面のタブＴには、入門レーンを特定するための情報が表示されている、更に当該画面の人数欄Ｎには、認証されたＩＤタグ４の数、すなわち搭乗者の数（図３の例では４）が表示されている。なお、当該画面には、車両ゲートＧを手動で開又は閉にするためのボタン（「開」、「閉」）、及びＩＤタグ読取装置５からの電波出力を手動で停止させてＩＤタグ読取装置５をリセットするためのボタン（「電波停止」）も表示されている。
【００３８】
監視人Ｐは、当該画面に表示された入構許可者データと実際の搭乗者との照合を行い、問題がなれれば、自身が携帯している無線指示装置７の指示ボタン７ａを押す。そうすると上述のとおり、車両ゲートＧを開にするための指示信号が管理装置６に対して送信され、管理装置６はこの指示信号を受けて車両ゲートＧを開にする制御を行う。
【００３９】
このように、通門手続きにおいて監視人Ｐは、管理装置６の表示部６ａに表示された入構許可者データと実際の搭乗者との照合を行った後、表示部６ａに視線を向けることなく、無線指示装置７によって、車両ゲートＧを開けるための指示信号を管理装置６に送信することができる。これにより、通門手続きを効率的に実施できる。
【００４０】
図３を再び参照すると、最前面の入門レーン１の画面について、上述の通門手続きが完了すると、この最前面の画面が消えて次の画面が現れる。監視人Ｐは次の画面に基づいて通門手続きを実施する。以後、これを繰り返すが、新たにいずれかの入門レーンにおいてＩＤタグ読取装置６がＩＤタグ４を読み取った場合、その入門レーンに関する画面が、最背面に追加される。
【００４１】
なお、画面に表示された入構許可者データと実際の搭乗者との照合で問題があった場合、監視人Ｐは無線指示装置７の指示ボタン７ｄを押してカメラ装置８ａ〜８ｃによる撮影を実行させたり、指示ボタン７ｅを押して警報装置９に警報を出力させたりする等の異常対応を行う。このように監視人Ｐが指示ボタン７ｄや指示ボタン７ｅを押して指示信号を管理装置６に送信すると、上述と同様に表示部６ａの最前面の画面が消えて次の画面が現れる。
【００４２】
以上の実施例では、無線指示装置７として図２に示すワイヤレスマウスを使用したが、これには限定されない。例えば、監視人Ｐの特定の動作を検知し、それに対応する各種指示信号を送信できる無線指示装置を使用することもできる。要するに、監視人Ｐが携帯可能で、管理装置６に対して無線で指示信号を送信できるものであればよい。
【００４３】
また、実施例では管理装置６としてタブレット式のコンピュータ端末を使用したが、固定式のコンピュータを使用し、これを守衛室Ｒに設置するようにしてもよい。
【００４４】
更に、実施例では、表示手段としての表示部６ａを管理装置６に設けたが、管理装置６とは別途に表示手段を設けてもよい。例えば、管理装置６は守衛室Ｒに固定的に設け、表示手段だけを監視人Ｐが携帯するようにしてもよい。
【符号の説明】
【００４５】
１  管理サーバ
１ａ  入構許可者データベース
２  車両
３  搭乗者
４  ＩＤタグ
５  ＩＤタグ読取装置
６  管理装置
６ａ  表示部（表示手段）
７  無線指示装置
８ａ〜８ｃ  カメラ装置
９  警報装置
１０ａ  第１の車両検知手段
１０ｂ  第１の車両検知手段
１１  認証機
Ｇ  車両ゲート
Ｐ  監視人
Ｒ  守衛室
【図１】
0006366414.tif 000002
【図２】
0006366414.tif 000003
【図３】
0006366414.tif 000004
【図４】
0006366414.tif 000005